(57)【要約】【課題】脱塩塔にイオン交換樹脂と共に指標となる擬似樹脂を混入することで、管理薄への記入忘れ又はマグネット表示の移動忘れがあっても、脱塩塔内のイオン交換樹脂の入替え済みかどうかの区別を容易に把握する。【解決手段】各脱塩塔２に充填しているイオン交換樹脂Ｒを入れ替える際に、この入れ替えたことを指標するために、イオン交換樹脂Ｒと異なる色彩に着色した、擬似樹脂である指標樹脂ＭＲを混入し、この指標樹脂ＭＲの有無で各脱塩塔２の入替え状態について、管理簿とマグネット表示と共に管理する。【選択図】図２
2010099611.tif 000002
【特許請求の範囲】
【請求項１】
発電所等の復水配管系統に設備する、イオン交換樹脂（Ｒ）を充填した脱塩塔（２）を複数基備えた復水脱塩装置（１）であって、
各脱塩塔（２）に充填しているイオン交換樹脂（Ｒ）を入れ替える際に、この入れ替えたことを指標するために、該イオン交換樹脂（Ｒ）と異なる色彩に着色した指標樹脂（ＭＲ）を混入する、ことを特徴とする復水脱塩装置におけるイオン交換樹脂の入替管理方法。
【請求項２】
前記指標樹脂（ＭＲ）は、白色、青色又は黄色等の着色プラスチックである、ことを特徴とする請求項１の復水脱塩装置におけるイオン交換樹脂の入替管理方法。
【請求項３】
前記指標樹脂（ＭＲ）は、全イオン交換樹脂（Ｒ）の１〜３ｗ％の割合で充填する、ことを特徴とする請求項１又は２の復水脱塩装置におけるイオン交換樹脂の入替管理方法。
【請求項４】
前記イオン交換樹脂（Ｒ）を再生塔（３）で再生する度に、前記指標樹脂（ＭＲ）を増量するように補充する、ことを特徴とする請求項１、２又は３の復水脱塩装置におけるイオン交換樹脂の入替管理方法。
【請求項５】
前記イオン交換樹脂（Ｒ）を再生塔（３）で再生する際に、前記指標樹脂（ＭＲ）を補充し、かつ分散する、ことを特徴とする請求項１、２、又３は４の復水脱塩装置におけるイオン交換樹脂の入替管理方法。
【請求項６】
前記再生塔（３）で再生したイオン交換樹脂（Ｒ）を樹脂貯槽（４）に移送する際に、前記指標樹脂（ＭＲ）を補充し、かつ分散する、ことを特徴とする請求項１、２、又３は４の復水脱塩装置におけるイオン交換樹脂の入替管理方法。
【発明の詳細な説明】
【技術分野】
【０００１】
本発明は、発電所の復水配管系統に設備する復水脱塩装置の管理技術に係り、特に脱塩塔に充填するイオン交換樹脂が劣化又は寿命に達したときにその入れ替えを管理する復水脱塩装置におけるイオン交換樹脂の入替管理方法に関する。
【背景技術】
【０００２】
復水脱塩装置は、発電所等の復水配管系統において復水中の不純物イオン、鉄、銅などの金属腐食生成物を除去するために設けられている。復水脱塩装置には、イオン交換樹脂を充填した複数の脱塩塔を設けている。各脱塩塔に充填するイオン交換樹脂は、アニオン交換樹脂とカチオン交換樹脂との混床から成る。このイオン交換樹脂が劣化し、又は樹脂の交換容量が飽和して寿命になると、処理する復水の水質を所定の管理基準値以内に維持することができない。そこで、長期間使用した樹脂は、定期的に樹脂量を測定して樹脂の入替、補給を行なっている。例えば、図４の設備全体構成図と図５の入替え工程のフロー図に示すように、復水脱塩装置１は通水量が定体積になると装置を停止して再生塔３へ樹脂を移送して薬品による再生を実施し、既に樹脂貯槽４に貯めておいた再生済みの樹脂を入れ替えている。このとき、イオン交換樹脂の入れ替えが済んでいる脱塩塔２かどうかについて管理薄で管理している。例えば、それぞれの脱塩塔２に番号、記号を付し、その番号等を管理薄に記入して樹脂の入れ替え状態を管理している。また、各脱塩塔２に樹脂を入れ替えたかどうかについて、その脱塩塔２に脱着自在になるマグネット表示板を取り付け、このマグネット表示板を移動させることにより番号管理している。
【０００３】
このような復水脱塩装置の管理方法に関する技術として、例えば特許文献１の特開２００２−４５８５１公報「復水脱塩装置の運転管理方法」に示すように、イオン交換樹脂を充填した脱塩塔が複数並設されている復水脱塩装置について、全脱塩塔のうちの少数の脱塩塔毎に、時期をずらして充填樹脂の交換を行う復水脱塩装置の運転管理方法が提案されている。
【特許文献１】特開２００２−４５８５１公報
【発明の開示】
【発明が解決しようとする課題】
【０００４】
従来の復水脱塩装置における脱塩塔２に樹脂を入れ替える際に、樹脂再生の都度、樹脂の場所を管理薄で管理しているが、多数の脱塩塔から成る復水脱塩装置では、管理薄への記入を忘れたり、マグネット表示板について移動し忘れがあった場合に、樹脂入れ替え済みの脱塩塔か、入れ替え前の脱塩塔かの判別が困難になることがあった。即ち、これらの管理薄、マグネット表示板がないと樹脂の入替や樹脂補給量が把握できないという問題を有していた。
【０００５】
また、特許文献１の「復水脱塩装置の運転管理方法」は、交換樹脂の準備の容易化、交換作業の容易化を図ることに特徴を有する技術であり、多数ある脱塩塔への樹脂の入替作業の明確化を図る技術ではなかった。
【０００６】
本発明は、かかる問題点を解決するために創案されたものである。すなわち、本発明の目的は、脱塩塔にイオン交換樹脂と共に指標となる擬似樹脂を混入することで、管理薄への記入忘れ又はマグネット表示の移動忘れがあっても、脱塩塔内のイオン交換樹脂の入替え済みかどうかの区別を容易に把握することができる復水脱塩装置におけるイオン交換樹脂の入替管理方法を提供することにある。
【課題を解決するための手段】
【０００７】
本発明によれば、発電所等の復水配管系統に設備する、イオン交換樹脂（Ｒ）を充填した脱塩塔（２）を複数基備えた復水脱塩装置（１）であって、各脱塩塔（２）に充填しているイオン交換樹脂（Ｒ）を入れ替える際に、この入れ替えたことを指標するために、該イオン交換樹脂（Ｒ）と異なる色彩に着色した指標樹脂（ＭＲ）を混入する、ことを特徴とする復水脱塩装置におけるイオン交換樹脂の入替管理方法が提供される。
【０００８】
例えば、前記指標樹脂（ＭＲ）には、白色、青色又は黄色等の着色プラスチックを用いることができる。
前記指標樹脂（ＭＲ）は、全イオン交換樹脂（Ｒ）の１〜３ｗ％の割合で混入することができる。
前記イオン交換樹脂（Ｒ）を再生塔（３）で再生する度に、前記指標樹脂（ＭＲ）を増量するように混入することが好ましい。
前記イオン交換樹脂（Ｒ）を再生塔（３）で再生する際、又は前記再生塔（３）で再生したイオン交換樹脂（Ｒ）を樹脂貯槽（４）に移送する際に、前記指標樹脂（ＭＲ）を補充し、かつ分散することが好ましい。
【発明の効果】
【０００９】
上記構成の発明では、各脱塩塔（２）に充填しているイオン交換樹脂（Ｒ）を入れ替える際に、イオン交換樹脂（Ｒ）と異なる色彩に着色した着色プラスチックから成る指標樹脂（ＭＲ）を混入することにより、管理薄への記入忘れ又はマグネット表示の移動忘れがあっても、直接脱塩塔（２）内を確認窓から覗き、その指標樹脂（ＭＲ）の有無、混入量を確認すれば、その脱塩塔（２）がイオン交換樹脂（Ｒ）の入替え前か、入替え済みかの区別を容易に判断することができる。
【００１０】
この指標樹脂（ＭＲ）は、全イオン交換樹脂（Ｒ）の１〜３ｗ％の割合で混入するだけで、脱塩塔（２）の確認窓から内部を覗くだけでこの指標樹脂（ＭＲ）を容易に確認することができる。
再生塔（３）でイオン交換樹脂（Ｒ）を再生する度に、指標樹脂（ＭＲ）を混入する、ことにより、再生の回数について指標樹脂（ＭＲ）の混入した比率、着色した指標樹脂（ＭＲ）の濃淡からも判別することができる。
指標樹脂（ＭＲ）は、イオン交換樹脂（Ｒ）を再生塔（３）で再生する際、または樹脂貯槽（４）に移送する際に分散するように混入することにより混入比率が低くてもその有無を確実に視認することができる。
【発明を実施するための最良の形態】
【００１１】
本発明の復水脱塩装置におけるイオン交換樹脂の入替管理方法は、各脱塩塔に充填しているイオン交換樹脂を入れ替える際に、この入れ替えたことを指標するために、イオン交換樹脂と異なる色彩に着色した指標樹脂を混入し、この指標樹脂の有無を確認することにより樹脂の入替を管理する方法である。
【実施例１】
【００１２】
以下、本発明の好ましい実施の形態を図面を参照して説明する。
図１は本発明のイオン交換樹脂の入替管理方法を実施する復水脱塩装置を示す全体構成図である。図２はイオン交換樹脂の入替管理方法を説明する作業工程フロー図である。
本発明のイオン交換樹脂の入替管理方法を実施する復水脱塩装置１は、火力発電所、原子力発電所等に設備される復水器からの復水を、復水ポンプにより復水濾過装置を経た後に供給される設備である。この復水脱塩装置１により脱塩処理された復水は、ボイラ又は原子炉等に供給するようになっている。
【００１３】
復水脱塩装置１には、図示するように複数基の脱塩塔２が並べられ、通常運転時には全脱塩塔２に並列に通水される。各脱塩塔２には、混合床と称されるアニオン交換樹脂とカチオン交換樹脂の混合した樹脂Ｒを充填している。図１の脱塩塔２は３基を並べたものを図示しているが、３基より多く並べたもの、あるいは２基より少なく並べたものでもよいことは勿論である。
【００１４】
このように構成した復水脱塩装置１では通水量が定体積になると、復水脱塩装置１を停止して、該当する脱塩塔２から樹脂Ｒを抜き取り、再生塔３へ移送して薬品により再生する。再生が完了した樹脂Ｒは樹脂貯槽４に貯めておく。例えば、図示例のＡ，Ｂ，Ｃの３基の脱塩塔２の中でＡ脱塩塔２に充填していた樹脂Ｒを入れ替えるときは、このＡ脱塩塔２から劣化した樹脂Ｒを抜き取り、この樹脂Ｒを再生塔３へ移送して再生する。この空になったＡ脱塩塔２には既に樹脂貯槽４に貯めておいた樹脂Ｒを充填して入替えを完了する。
【００１５】
イオン交換樹脂Ｒの入れ替えが完了した脱塩塔２が、Ａ，Ｂ，Ｃ３基の何れの脱塩塔２であるかについて把握するために、上述したように先ず管理薄とマグネット表示板で管理する。更に、本発明ではイオン交換樹脂Ｒを入れ替えたことを指標するために、イオン交換樹脂Ｒにこれと異なる色彩に着色した指標樹脂ＭＲを混入する。この指標樹脂ＭＲは、白色、青色又は黄色等の着色プラスチックを用いる。この指標樹脂ＭＲは、イオン交換樹脂Ｒの色彩と異なるものであれば、白色、青色又は黄色に限定されないことは勿論である。この指標樹脂ＭＲは、イオン交換樹脂Ｒと均一に分散するように、粒径、比重が近い材質のものが適している。なお、イオン交換樹脂Ｒは、アニオン樹脂とカチオン樹脂ではその比重が相違する。例えば、汎用されているイオン交換樹脂Ｒでは、アニオン樹脂の比重は１．０７、カチオン樹脂の比重は１．３４である。そこで、本発明の指標樹脂ＭＲも、これのアニオン樹脂、カチオン樹脂に合わせた比重のもの、あるいは形状のものを使用する必要がある。
【００１６】
イオン交換樹脂Ｒにこれと異なる色彩に着色した着色プラスチックから成る指標樹脂ＭＲを混入しているので、直接各脱塩塔２内を確認窓から覗き、その指標樹脂ＭＲの有無を確認することにより、その脱塩塔２がイオン交換樹脂Ｒを入れ替えたものかについて容易に判断することができる。そこで、従来の管理薄への記入忘れ又はマグネット表示の移動忘れがあっても、この指標樹脂ＭＲにより確実に確認することができる。
【００１７】
指標樹脂ＭＲを混入するときは、図２に示すように、例えばイオン交換樹脂Ｒを再生塔３で再生する際、または再生したイオン交換樹脂Ｒを樹脂貯槽４に移送する際に、同時に混入し、かつ分散する。このように指標樹脂ＭＲを十分に分散させてイオン交換樹脂Ｒに混入するので、混入比率が低くてもその有無を確実に視認することができる。なお、新たなイオン交換樹脂Ｒに指標樹脂ＭＲを混入するときは、脱塩塔２に充填する前に分散混入する。
【００１８】
指標樹脂ＭＲは、例えば全イオン交換樹脂Ｒの１〜３ｗ％の割合で充填する。視認性と樹脂交換性能との両者を考慮すると２ｗ％の割合が最適であった。この混入比率より低いと、確認窓から覗いたときに指標樹脂ＭＲを視認しづらくなる。逆に混入比率が高いと確認窓から覗いたときに指標樹脂ＭＲを確認しやすくなるが、本来のイオン交換機能が全体として低下することになる。そこで、１〜３ｗ％の割合が、イオン交換機能は低下せず、かつ指標樹脂ＭＲを視認しやすいので適していた。
【００１９】
図３はイオン交換樹脂に指標樹脂を増量するように混入した状態を示すものであり、（ａ）は混入前の状態、（ｂ）は混入後の状態、（ｃ）は増量混入後の状態でる。
イオン交換樹脂Ｒを再生塔３で再生する度に、指標樹脂ＭＲを増量するように混入する。このように、再生の回数も指標樹脂ＭＲの充填された比率、着色した指標樹脂ＭＲの濃淡からも判別することが可能になる。
【００２０】
なお、本発明は、脱塩塔２にイオン交換樹脂Ｒと共に指標となる指標樹脂ＭＲを充填することで、管理薄への記入忘れ又はマグネット表示の移動忘れがあっても、脱塩塔２内のイオン交換樹脂Ｒの入替え済みかどうかの区別を容易に把握することができれば、上述した実施例に限定されず、本発明の要旨を逸脱しない範囲で種々変更できることは勿論である。
【産業上の利用可能性】
【００２１】
本発明の復水脱塩装置におけるイオン交換樹脂の入替管理方法は、火力発電所、原子力発電所等の復水配管系統に設けられる復水脱塩装置以外に、その他の種々のプラントにおける脱塩装置に利用することができる。
【図面の簡単な説明】
【００２２】
【図１】本発明のイオン交換樹脂の入替管理方法を実施する復水脱塩装置を示す全体構成図である。
【図２】イオン交換樹脂の入替管理方法を説明する作業工程フロー図である。
【図３】イオン交換樹脂に指標樹脂を増量するように混入した状態を示すものであり、（ａ）は混入前の状態、（ｂ）は混入後の状態、（ｃ）は増量混入後の状態でる。
【図４】従来の復水脱塩装置を示す全体構成図である。
【図５】イオン交換樹脂を入れ替える方法を説明する作業工程フロー図である。
【符号の説明】
【００２３】
１  復水脱塩装置
２  脱塩塔
３  再生塔
４  樹脂貯槽
Ｒ  イオン交換樹脂
ＭＲ  指標樹脂
【図１】
2010099611.tif 000003
【図２】
2010099611.tif 000004
【図３】
2010099611.tif 000005
【図４】
2010099611.tif 000006
【図５】
2010099611.tif 000007